(57)【要約】携帯電話のような携帯電子機器が、ユーザの手（片手／両手）のモーション又は手のジェスチャを表す光入力信号を受信するメインのカメラ及びテレビ電話用カメラを備える。モーション又はジェスチャは復号化されると共に、テレビ又はプロジェクタのような表示装置によるコンテンツの表示を制御するための遠隔制御入力信号として利用される。表示装置は表示用コンテンツを携帯電話から受信する。携帯電子機器から得られるコンテンツを別個のディスプレイ又はプロジェクタ上に表示する方法、並びに、手の動き又はジェスチャに基づいて遠隔制御によりこのような表示を制御する方法。
2012510659.tif 000002
【特許請求の範囲】
【請求項１】
携帯電子機器であって、
複数の入力画像を受信するように構成された入力デバイスと、
入力画像を比較することによって、複数の所定のモーションのうちのひとつ以上のモーションを認識するように構成されたコンパレータと、
前記コンパレータによって認識された前記それぞれのモーションに応じて、前記携帯電子機器の出力を制御するように構成されたコントローラであって、前記制御のタイプは前記認識済みのモーションに対応するコントローラと
を備えることを特徴とする携帯電子機器。
【請求項２】
表示可能なコンテンツのような出力を提供するように構成された出力デバイスをさらに備えることを特徴とする請求項１に記載の携帯電子機器。
【請求項３】
前記表示可能なコンテンツはピクチャ、リスト又はキーボードのうちの少なくとも１つであることを特徴とする請求項２に記載の機器。
【請求項４】
前記コンパレータは、複数の異なる所定のモーションを認識するように構成されると共に、前記コントローラは、前記コンパレータにより認識されたそれぞれのモーションに応じて表示可能なコンテンツの画像のサイズ又はロケーションのうちの少なくとも一方を変更するように構成されることを特徴とする請求項２又は３のいずれか１項に記載の機器。
【請求項５】
前記コントローラは、前記コンパレータにより認識されるそれぞれのモーションに応じて表示情報の画像をスクロールするように構成されることを特徴とする請求項２乃至４のいずれか１項に記載の機器。
【請求項６】
前記コントローラは、コンパレータにより認識されたそれぞれのモーションに応じて、表示情報の画像に関して選択機能を生じさせるように構成されることを特徴とする請求項２乃至５のいずれか１項に記載の機器。
【請求項７】
前記出力デバイスは、テレビ、プロジェクタ、ディスプレイ、モニタ、若しくは、前記携帯電子機器から遠隔地にあるコンピュータのうちの少なくとも１つによって示される前記表示可能なコンテンツを無線、有線又は別の結合によって送信するように構成されることを特徴とする請求項２乃至６のいずれか１項に記載の機器。
【請求項８】
前記コンパレータは、プロセッサと、複数の画像とを比較するように構成された関連付けられたロジック回路とを備えることを特徴とする請求項１乃至７のいずれか１項に記載の機器。
【請求項９】
前記コンパレータは、第１の方向から得られる第１の複数の入力画像によって、及び、前記第１の方向とは異なる第２の方向から得られる第２の複数の入力画像によって、それぞれ表された認識済みのモーションを比較するように構成されることを特徴とする請求項１乃至８のいずれか１項に記載の機器。
【請求項１０】
前記入力デバイスはひとつ以上のカメラを備えることを特徴とする請求項１乃至９のいずれか１項に記載の機器。
【請求項１１】
前記入力デバイスは異なる方向から入力画像を受信するように相対的に配置された２台のカメラを備えることを特徴とする請求項１乃至９のいずれか１項に記載の機器。
【請求項１２】
前記カメラのうちの少なくとも一方はビデオカメラであることを特徴とする請求項１１に記載の機器。
【請求項１３】
前記機器は、異なる方向から入力画像を提供するための前記入力デバイスとして２台のカメラを備えた携帯電話を備えると共に、一方のカメラはテレビ電話用カメラであり、かつ、他方のカメラは前記携帯電話のメインのカメラであることを特徴とする請求項１乃至９のいずれか１項に記載の機器。
【請求項１４】
携帯電子機器を操作する方法であって、
複数の所定のモーションのうちのひとつ以上のモーションを認識するために入力画像を比較するステップと、
前記それぞれの認識済みのモーションに応じて前記携帯電子機器の出力を制御するステップであって、前記制御のタイプは前記認識済みのモーションに対応するようになっている制御ステップと
を有することを特徴とする方法。
【請求項１５】
前記比較ステップは、第１の方向から得られる第１の複数の入力画像によって、及び、前記第１の方向とは異なる第２の方向から得られる第２の複数の入力画像によって、それぞれ表された認識済みのモーションを比較するステップをさらに含むことを特徴とする請求項１４に記載の方法。
【請求項１６】
出力を制御する前記ステップは、表示が意図されているコンテンツを制御するステップを有することを特徴とする請求項１４又は１５のいずれかに記載の方法。
【請求項１７】
前記制御ステップは、前記携帯電子機器とは別の機器上で示されるべき、前記携帯電子機器により提供されるコンテンツを制御するステップを有することを特徴とする請求項１４乃至１６のいずれか１項に記載の方法。
【請求項１８】
前記制御ステップは、前記携帯電子機器とは別の機器の動作を制御するステップを含むことを特徴とする請求項１４乃至１６のいずれか１項に記載の方法。
【請求項１９】
前記携帯電子機器は、携帯電話であり、かつ、前記比較ステップの実行時に使用するための入力画像を２つの異なる方向から取得するために前記携帯電話の２台のカメラを使用するステップをさらに含むことを特徴とする請求項１４乃至１８のいずれか１項に記載の方法。
【請求項２０】
前記携帯電子機器のうちのひとつ以上の携帯電子機器がディスプレイを備えると共に、該ディスプレイの視野を実質的に妨害することのない光入力であって、前記携帯電子機器へ光入力を提供するステップを有することを特徴とする請求項１４乃至１６のいずれか１項に記載の方法。
【請求項２１】
電子機器を制御するために格納媒体に組み込まれたコンピュータプログラムであって、
所定の特徴を有するモーションが前記比較の結果によって表されているかどうかを認識するために入力画像を比較するように構成された比較用ロジックと、
所定の特徴を有するモーションの前記比較用ロジックによる認識ステップに応答すると共に、前記認識済みのモーションに一致する、前記電子機器の出力の制御タイプを提供するように構成された制御ロジックと、
を含むことを特徴とするコンピュータプログラム。
【請求項２２】
前記比較用ロジックは、それぞれの所定のキャラクタモーションを有する２つの認識済みのモーションを比較するように構成されたロジックをさらに備えることを特徴とする請求項２１に記載のコンピュータプログラム。
【請求項２３】
携帯電話を用いてコンテンツを表示する方法であって、移動の程度とタイプの少なくともいずれかを検知する機能を有する携帯電話に対して腕、手、又は指のうちの少なくとも１つを相対的に動かすステップを有し、それによって、前記携帯電話へ入力を提供して、前記携帯電話によって提供される前記コンテンツの表示の制御を行うようにすることを特徴とする方法。
【請求項２４】
前記移動ステップは、前記携帯電話の異なるカメラに対して相対的に左右両方のひとつ以上の腕、手、又は指をそれぞれ動かして、前記携帯電話により提供される前記コンテンツの表示の所望の制御を引き起こすようにするステップを含むことを特徴とする請求項２３に記載の方法。
【発明の詳細な説明】
【技術分野】
【０００１】
ここで開示する技術は一般に、携帯電子機器から得られるコンテンツを共有するための装置及び方法に関し、特に、携帯電子機器に関連付けられたひとつ以上のカメラによって画像、モーション、ジェスチャ等を検出することにより、このようなコンテンツの共有を制御するための装置及び方法に関する。
【背景技術】
【０００２】
例えば、携帯電話機（以下携帯電話と呼ぶ）、携帯用デジタルアシスタント（ＰＤＡ）等の移動無線電子機器のような携帯電子機器がますます普及している。例えば、携帯電話、ＰＤＡ、携帯用コンピュータ、携帯用メディアプレイヤ及び携帯用ゲーム装置の利用は現在広く行われている。いくつかの携帯電子機器のタイプに関連付けられた特徴がますます多様化している。いくつかの例を挙げてみると、多くの電子機器が、カメラ機能、テキストメッセージ機能、インターネット閲覧機能、電子メール機能、ビデオとオーディオの少なくともいずれかの再生機能及び画像表示機能を備えている。多くの電子機器が、外部スピーカ及びマイクのみならず、例えばブルートゥース通信機能等の近距離通信機能のような有線及び無線による通信機能との接続機能をもつ、手を使わないで操作できるインタフェースを備えている。
【０００３】
また、例えば携帯電話、ＰＤＡ、メディアプレイヤ等の携帯電子機器は、コンテンツを出力する機能を有し、例えば、グラフィカルユーザインタフェース（ＧＵＩ）等によってディスプレイ上に表されるようなピクチャ、動画、リスト、諸機能のようなコンテンツを示すように、あるいは、例えばデバイスの内部スピーカ、あるいは、有線や無線によってデバイスの出力部等と接続された外部スピーカのようなひとつ以上のスピーカを介して音楽や別の音等のサウンドのようなコンテンツを再生するようになっている。例えば、ブルートゥース通信機能あるいは他の結合技術のような種々の有線及び無線の結合技術が利用されていると共に、これらの技術は将来においても利用され得る。
【発明の概要】
【発明が解決しようとする課題】
【０００４】
時として、携帯電子機器のユーザは、ひとつ以上の他の人々とのコンテンツの共有を所望する場合がある。携帯電話、ＰＤＡ、メディアプレイヤ等のような携帯電子機器に設けられたディスプレイはかなり小さなものであるため、数人の人々が同時にディスプレイを見、ディスプレイ上に示されているすべての情報、画像の詳細情報等を参照し、かつ、理解するには問題が生じることが考えられる。また、機能やリスト済み項目の選択のようなコンテンツの利用、あるいは、ディスプレイ上に示されている画像間のスクロールのようなコンテンツの変更等が問題となる場合もある。また、デバイスの相対的に小さな表示画面であって、かつ、広い領域の表示には最適ではない表示画面に対して、このような携帯電子機器に対応するユーザインタフェースが最適化される場合もある。
【課題を解決するための手段】
【０００５】
簡潔にいえば、本発明の一側面に従って、携帯電話のユーザが、携帯電話のひとつ以上のカメラにより検知される手のジェスチャ、動き等であって、携帯電話から得られるコンテンツの表示と、提示と、利用とのうちの少なくともいずれかの制御に用いられる手のジェスチャ、動き等を行うことが可能となる。
【０００６】
別の側面によれば、携帯電子機器が、複数の入力画像を受信するように適合された入力デバイスと、入力画像の比較によって複数の所定のモーションのうちのひとつ以上のモーションを認識するように構成されたコンパレータと、該コンパレータによって認識されたそれぞれのモーションに応じて携帯電子機器の出力を制御するように構成されたコントローラとを備える。但し、制御のタイプは認識されたモーションに対応するものとする。
【０００７】
別の側面によれば、機器は、表示可能なコンテンツのような出力を提供するように構成された出力デバイスを備える。
【０００８】
別の側面によれば、表示可能なコンテンツはピクチャ、リスト、又はキーボードのうちの少なくとも１つである。
【０００９】
別の側面によれば、コンパレータは、複数の異なる所定のモーションを認識するように構成されると共に、コントローラは、コンパレータにより認識されたそれぞれのモーションに応じて、表示可能なコンテンツの画像のサイズ又はロケーションのうちの少なくとも一方を変更するように構成される。
【００１０】
別の側面によれば、コントローラは、コンパレータにより認識されたそれぞれのモーションに応じて表示情報の画像をスクロールするように構成される。
【００１１】
別の側面によれば、コントローラは、コンパレータにより認識されたそれぞれのモーションに応じて、表示済み情報の画像に関して選択機能を引き起こすように構成される。
【００１２】
別の側面によれば、出力デバイスは、テレビ、プロジェクタ、ディスプレイ、モニタ、若しくは、携帯電子機器から離れた遠隔地にあるコンピュータのうちの少なくとも１つによって示される表示可能なコンテンツを無線、有線又は別の結合によって送信するように構成される。
【００１３】
別の側面によれば、コンパレータはプロセッサと、複数の画像を比較するように構成された関連付けられたロジック回路とを備える。
【００１４】
別の側面によれば、コンパレータは、第１の方向から得られる第１の複数の入力画像によって、及び、第１の方向とは異なる第２の方向から得られる第２の複数の入力画像によってそれぞれ表された認識済みのモーションを比較するように構成される。
【００１５】
別の側面によれば、入力デバイスはひとつ以上のカメラを備える。
【００１６】
別の側面によれば、入力デバイスは入力画像を異なる方向から受信するように相対的に配置された２台のカメラを備える。
【００１７】
別の側面によれば、カメラのうちの少なくとも１台はビデオカメラである。
【００１８】
別の側面によれば、機器は、異なる方向から入力画像を提供するための入力デバイスとして２台のカメラを備えた携帯電話を備えると共に、一方のカメラはテレビ電話用カメラであり、かつ、他方のカメラは携帯電話のメインのカメラである。
【００１９】
別の側面によれば、携帯電子機器を動作させる方法が、複数の所定のモーションのうちのひとつ以上のモーションを認識するために入力画像を比較するステップと、それぞれの認識済みモーションに応じて携帯電子機器の出力を制御するステップとを含むと共に、制御タイプは認識済みモーションに対応する。
【００２０】
別の側面によれば、比較ステップは、第１の方向から得られる第１の複数の入力画像によって、及び、第１の方向とは異なる第２の方向から得られる第２の複数の入力画像によってそれぞれ表された認識済みモーションを比較するステップをさらに含む。
【００２１】
別の側面によれば、出力を制御するステップは、表示を意図したコンテンツの制御を行うステップを含む。
【００２２】
別の側面によれば、制御ステップは、携帯電子機器とは別の機器上で示されるべき、携帯電子機器により提供されるコンテンツの制御を行うステップを含む。
【００２３】
別の側面によれば、制御ステップは、携帯電子機器とは別の機器の動作を制御するステップを含む。
【００２４】
別の側面によれば、携帯電子機器は携帯電話であり、かつ、比較ステップの実行時に使用するための入力画像を２つの異なる方向から取得するために携帯電話の２台のカメラが使用される。
【００２５】
別の側面によれば、電子機器を制御するために格納媒体に組み込まれたコンピュータソフトウェアには、所定の特徴を有するモーションが比較の結果によって表されているかどうかを認識するために入力画像を比較するように構成された比較用ロジックと、所定の特徴を有するモーションの比較ロジックによって認識ステップに応答すると共に、認識済みのモーションに応じて電子機器の出力の制御タイプを提供するように構成された制御用ロジックが含まれる。
【００２６】
別の側面によれば、比較用ロジックは、それぞれの所定のキャラクタモーションを有する２つの認識済みモーションを比較するように構成されたロジックをさらに含む。
【００２７】
別の側面によれば、コンテンツを表示するために携帯電話を用いる方法には、このような移動の程度とタイプの少なくともいずれかを検知する機能を有する携帯電話に対して腕、手、又は指のうちの少なくとも１つを相対的に動かし、それによって、携帯電話への入力を行い、携帯電話により提供されるコンテンツの表示を制御するようにするステップが含まれる。
【００２８】
別の側面によれば、移動ステップには、携帯電話の異なるカメラに対して相対的に左右両方のひとつ以上の腕、手、又は指をそれぞれ動かして、携帯電話によって提供されるコンテンツの表示の所望の制御を引き起こすようにするステップが含まれる。
【００２９】
以下の説明及び添付の図面を参照することにより、側面及び特徴、並びに更なる側面及び特徴が明らかになるであろう。説明及び図面において、本発明の好適な実施形態は、本発明の原理が採用されるいくつかの方法を示すものとして詳細に開示されているが、本発明の範囲はそれらに限定されるものではないことは理解されよう。逆に、本発明は本明細書に添付の請求項の範囲に属するすべての変更、修正及び均等物を含むものである。
【００３０】
本明細書で使用される場合、「備える／備えている（comprises／comprising）」という用語は、言及された特徴、整数、ステップ又は構成の存在を特定するために用いられるが、これら以外の特徴、整数、ステップ、構成、又はこれらのグループの存在又は追加を排除するものではないという点を強調しておく。
【００３１】
１つの実施形態に関して説明され又は例示されている特徴は、ひとつ以上の他の実施形態において同一の方法又は同様の方法で使用されてもよく、又は他の実施形態の特徴と組み合わされて、あるいはその代わりに使用されてもよい。
【図面の簡単な説明】
【００３２】
【図１Ａ】本発明を具現化する携帯電話の概略正面図及びほぼ同じ寸法の背面図である。
【図１Ｂ】本発明を具現化する携帯電話の概略正面図及びほぼ同じ寸法の背面図である。
【図２】例えば、携帯電話とは別のディスプレイ上に示すべきコンテンツの提示のための図１の携帯電話の使用を描く概略図である。
【図３Ａ】ズームアウトすなわち画像サイズの縮小効果を生じさせるようにディスプレイ上に示される画像及び手のモーション又はジェスチャの概略図である。
【図３Ｂ】ディスプレイ上に示される図３Ａの画像と、ズームインすなわち画像拡大効果を生じさせるために手のモーション又はジェスチャとを示す概略図である。
【図４Ａ】ディスプレイ上に示される図３Ａの画像と、表示画像のパニング、又は、例示図に対して相対的にディスプレイの右方向へ向かう動きを引き起こすために手のモーション又はジェスチャとを示す概略図である。
【図４Ｂ】ディスプレイ上に示される図４Ａの画像と、表示画像のパニング、又は、例示図に対して相対的にディスプレイの左方向へ向かう動きを引き起こすために手のモーション又はジェスチャとを示す概略図である。
【図５Ａ】名前のリストと、該リスト内をスクロールするための手の動き又はジェスチャと、該リスト内の名前を選択するための手のジェスチャとを示すディスプレイの例示図である。
【図５Ｂ】名前のリストと、該リスト内をスクロールするための手の動き又はジェスチャと、該リスト内の名前を選択するための手のジェスチャとを示すディスプレイの例示図である。
【図５Ｃ】名前のリストと、該リスト内をスクロールするための手の動き又はジェスチャと、該リスト内の名前を選択するための手のジェスチャとを示すディスプレイの例示図である。
【図６Ａ】ディスプレイ上に示されるキーボードと、キーボードのキーを指し示す手の動き又はジェスチャとを示す概略図である。
【図６Ｂ】図６Ａに示されているように指示されたキーを選択するための手の動き又はジェスチャを示す概略図である。
【図７】図１及び図２の携帯電話の概略ブロックシステム線図である。
【図８】本願に記載の方法を実行するために本発明を具現化する携帯電話又は別の移動無線電子機器の使用方法例を表す比較的高いレベルの例示のフローチャート又は論理回路図である。
【図９】ズームイン機能、パニング機能、スクローリング機能及び選択機能のため等の、本願に記載の方法を実行するために本発明を具現化する携帯電話又は別の移動無線電子機器の使用方法例を表す例示のフローチャート又は論理回路図である。
【図１０】タイピングや別のキーボード機能を実行するために本発明を具現化する携帯電話又は別の移動無線電子機器の使用方法例を表す例示のフローチャート又は論理回路図である。
【図１１】例えば携帯電話とは別のプロジェクタなどによって、スクリーンへ投影すべきコンテンツを例として提示するための図１の携帯電話の使用を描く概略図である。
【図１２】遠隔制御とコンテンツの少なくともいずれかを提供するために主要機器と共に使用されるアクセサリを示す概略図である。
【図１３】自身のカメラを各々が有する２つの電子機器を含む実施形態の概略図である。
【図１４】カメラ及びウエブカメラを備えた１台の電子機器を備えた実施形態を示す概略図である。
【図１５】可動カメラを備えた電子機器を含む実施形態を示す概略図である。
【図１６】回動可能カメラを備えた電子機器を含む実施形態を示す概略図である。
【発明を実施するための形態】
【００３３】
以下図面を参照して実施形態について説明するが、以下を通して、同一の参照番号は同様の要素を参照するために使用される。これらの図は必ずしも縮尺通りではないことは理解されよう。
【００３４】
本文書では、例示されている携帯電話のような携帯用無線通信装置の形の移動無線電子機器に関連して、主として実施形態についての説明を行う。しかし、携帯電話の例示した状況は上記開示されたシステム及び方法の諸側面を利用できる可能な唯一の動作環境ではないことは理解されよう。従って、本明細書に記載の技術、方法及び構造は任意のタイプの適切な電子機器に適用することも可能である。このような電子機器の例として、携帯電話、移動無線電子機器、メディアプレイヤ、ゲーム用装置、コンピュータ（ラップトップコンピュータや別のコンピュータ、超携帯型ＰＣパーソナルコンピュータ等）、ＧＰＳ（全地球測位システム）装置、ポケットベル、コミュニケータ、電子手帳、パーソナル・デジタル・アシスタント（ＰＤＡ）、スマートフォン、携帯用通信機器等が含まれてもよい。さらに、本明細書に記載の技術、方法及び構造は、上述の電子機器等のうちの任意の電子機器と結合することができ、該任意の電子機器に装着することができ、該任意の電子機器のうちのいずれかと共に使用することができるアクセサリデバイスに対しても適用が可能である。
【００３５】
最初に図１及び図２を参照すると、本発明の実施形態が、移動無線電子機器（以下「携帯電話」と呼ぶ）の形態で１０で一般的に示されている。携帯電話１０は、１１で表されると共に、図示され、図７に関してさらに詳細に説明される適切な電子機器、回路、及び、オペレーティングソフトウェアと、ハードウェアと、ファームウェアとのうちの少なくともいずれかを含むものとする。携帯電話１０はケース１２を含み、かつ、例えば、一般に行われているように、携帯電話の種々の部分がこのケース上に装着されると共に、該ケースによって装着されている。携帯電話１０は、レンガ形状又はブロック形状による構成を有するものとして図示されてはいるが、携帯電話は別の形状のもの（フリップ型ケース、スライド型ケース等）であってもよいことは理解されよう。
【００３６】
例えば、携帯電話１０は、１２個の英数字ダイアルキーと入力キー１４の少なくともいずれかを備えると共に、例えば、ファンクションキー、ナビゲーションキー、ソフトキー／ソフトスイッチのような複数の特別のキー１５（キーパッド内のこれらすべてのキーは従来型のキーであってもよい）を備えたキーパッド１３を含むか、あるいは、新たなデザインと機能の少なくともいずれかを有するものであってもよい。また、携帯電話１０は、音声等のオーディオ入力用マイク１６と、音、音声、音楽等のオーディオ出力用スピーカ１７と、ディスプレイ１８も備える。例えば、ディスプレイ１８は、液晶ディスプレイ（ＬＣＤ）、発光ダイオード（ＬＥＤ）ディスプレイ等のような種々のタイプのうちのいずれかのディスプレイであってもよい。このディスプレイは、指、スタイラスペン等によりタッチされると、携帯電話１０の回路１１へ電子入力を提供するタッチパネル式ディスプレイであってもよい。所望の場合、ディスプレイは、多くのタイプのデータ、アイコン等を表示するように構成されたものであってもよく、例えば、そのようなタイプのデータ、アイコンとして、データリスト、ディスプレイ等につながるスタイラスペン等に触れることによって選択されると、携帯電話により実行される動作機能がアイコン又はリストによって表されるグラフィカルユーザインタフェース（ＧＵＩ）などがある。ディスプレイは、キーパッド１３のキー１４、１５のうちのすべての又はいくつかのキーを表すような、キーパッドの一部又はすべてを表示するタイプのディスプレイであってもよい。或る実施形態では、例えば、ディスプレイは、英語ＱＷＥＲＴＹキーボードあるいは、何らかの別のキーボードのようなタイプライタ又はコンピュータキーボードを表示するタイプのディスプレイであってもよい。ディスプレイ上に示すことができる画像タイプ、並びに、ディスプレイすなわち別のキーに触れることによって携帯電話へ提供できる機能や携帯電話への入力は、現在知られていて、かつ、利用可能な多くの入力、並びに、将来出現する可能性のある他の入力も含めて、多数でかつ多様なものであってもよい。
【００３７】
キーパッド１３、ディスプレイ１８を介して、及び、場合によっては、外部発信ソースから、例えば、着信電話コール、テキストメッセージ、光又は電磁波の発信、ショートメッセージシステム（ＳＭＳ）等に応じて、携帯電話１０に提供される種々の入力に応じて、回路１１は応答を行うと共に、携帯電話はのように操作されることになる。
【００３８】
また、携帯電話１０は２台のカメラ２０、２１も備える。これらのカメラは同一のものであっても、あるいは、異なるものであってもよい。或る実施形態では、カメラは、例えば、それぞれのカメラが受信した入力を表す電気信号又はデータ画像として格納を行うデジタル機能を有する電子タイプのカメラである。例えば、カメラ２０は、一般に携帯電話１０のユーザの方を向くテレビ電話用カメラであってもよい。これは、ユーザの１つの画像又は一連の画像を取得し、次いで、携帯電話１０のユーザとの電話による通話中に、別の携帯電話のユーザが見ることができるように当該画像を別の携帯電話等へ送信するためである。別のカメラ２１は携帯電話１０のメインのカメラであってもよく、かつ、静止写真、ビデオ等を撮影するため等のような種々の機能を有してもよい。カメラ２０、２１は所望のような別のタイプのカメラであってもよい。図１Ａ及び図１Ｂの例示では、カメラ２０は携帯電話１０の前面２２の方を向き、カメラ２１は携帯電話の背面２３の方を向いている。前面及び背面という言及は説明の便宜のためであるが、携帯電話１０の側部のいずれの側面でも人工的に前面又は背面と指定してもよいことは理解されよう。
【００３９】
カメラ２０、２１は、例えば場面、ポートレート、顔等の光学的入力信号などの入力信号を受信する。この入力信号は、カメラのレンズを介して受信されてもよいし、あるいは、感光デバイス、単複の素子上などへ直接入射するか、若しくは、光伝導部材、光ファイバ機器等のような何らかの別のメカニズムを介して、入射されてもよい。これらのカメラ入力は、可視光線によって、あるいは赤外線等の何らかの別の形の光によって表されてもよいと共に、感光デバイスは、可視光線のみに感応する場合と、別の電磁気エネルギの波長に感応する場合との少なくともいずれかの場合がある。
【００４０】
図２を見ると、プレゼンテーションシステム３０が例示されている。このプレゼンテーションシステムは、携帯電話１０と、表示装置３１と、並びに、携帯電話と表示装置間の接続部３２とを備える。携帯電話１０は、表示装置３１上に示すべきコンテンツを接続部３２を介して提供する。上述したように、このコンテンツは、写真、ビデオのような画像、グラフィカルユーザインタフェース（ＧＵＩ）、携帯電話１０のコンタクトメモリから得られる連絡先リスト等のデータリスト又は情報リスト、ワープロフォーマット又はポータブルドキュメントフォーマット（ＰＤＦ）等の形のドキュメント、ＱＷＥＲＴＹ英語キーボード又は何らかの別の言語のキーボード、何らかの別の英数字キーボードやキーパッド等のようなキーボード、オーディオ出力、あるいは事実上任意の他のコンテンツであってもよい。
【００４１】
表示装置３１は、接続部３２を介して携帯電話１０から信号を受信するための、かつ、テレビ上に画像を表示するために信号をテレビへ提供するための適切な入力回路を備えたデジタルテレビ、アナログテレビ又は何らかの別のタイプのテレビ等の従来のテレビであってもよい。テレビの中にあるいは別個のパッケージング、ボックス等の中に例示の回路を設けてもよく、かつ、該回路は、例えば、これらの信号によって表される所望の画像を表示できるようにテレビの操作を行うための適切な形式に、ケーブルテレビ信号、衛星テレビ信号又は別の信号を変換するステップに関連して一般に使用されているタイプの回路であってもよい。表示装置３１はコンピュータモニタであってもよく、かつ、接続部３２を介して受信した携帯電話１０から出された信号はモニタを直接駆動するのに適した信号であってもよい。表示装置は、対応する画像を表示装置３１上に表示するための適切なタイプ又はフォーマットに、接続部３２を介して受信された信号を変換できる関連付けられたコンピュータを備えてもよい。
【００４２】
接続部３２は、携帯電話から表示装置３１への有線接続又は無線接続部であってもよい。接続部３２は、携帯電話１０から表示装置３１へＤＬＮＡ出力やプロトコルを介して提供されてもよい（ＤＬＮＡとは、ホームネットワークにおける相互運用性を保証するために協働するコンピュータと消費者用電子機器会社との連合組織であるデジタル・リビング・ネットワーク・アライアンスを表す頭字語である）。ＤＬＮＡは、ＩＰネットワークプロトコル、Ｗｉ−Ｆｉ無線プロトコル並びにＵＰｎＰ（オープンネットワークアーキテクチャ）転送プロトコルのような業界規格に基づく組織である。接続は、テレビ表示装置３１等を動作させるための好適なフォーマットである電気信号の出力等の、携帯電話１０から出されるＴＶ  ＯＵＴ出力部を介して提供されてもよい。
【００４３】
プレゼンテーションシステム３０内における携帯電話１０の動作は、図３、図４、図５及び図６でそれぞれ例示されているいくつかのグラフィックによる例によって説明される。カメラ２０、２１及び携帯電話１０の回路とソフトウェアの少なくともいずれか、又はロジック回路を用いて、それぞれの手を表す光入力信号を受信する携帯電話から（例えばそれぞれのカメラから）のユーザの手３３、３４の距離、個々の手の動き、移動方向、ジェスチャ及び移動速度等の検出も可能となる。以下さらに説明するように、例えば、速度、方向、位置、ジェスチャ等の上記のように検出された情報を利用して、携帯電話の動作と、コンテンツの表示と利用の少なくともいずれかが行われる方向を制御するようにしてもよい。当業者にとっては明らかであるように、プレゼンテーションシステム３０において携帯電話１０を使用するか、上記図面に関して説明されている同様の原理を別様に実行する別の方式及び方法が存在することは理解されよう。このような別の方法及び方式は本発明の一部と見なされる。
【００４４】
図２に示したように、携帯電話１０及びユーザの両手３３、３４の相対的位置決めを容易にするために、携帯電話を或る表面、例えばテーブル３５の上に置くことができ、次いで、それぞれのカメラ２０、２１によって観察されながら、従って、入力信号をカメラへ提供しながらこれらの両手をテーブルの表面に沿ってスライドすることができる。表示装置３１に対して相対的に携帯電話の位置決めを行い、それによって、接続部３２を無線又は有線のいずれかにすることを助けると共に、それぞれの手が動かされるにつれて対応するアクションを実行したり、表示画面３１ｓ上に示したりする直感的感覚を助けるようにすることができる。例えば、以下に説明するように、両手が携帯電話１０の方へ又は該携帯電話から離れる方向へ動かされるか、あるいは、片方の手が、表示装置の方へ又は該表示装置から離れる方向へ動かされるにつれて、ズーミング、パニング、スクローリング機能が実行され、表示画面３１ｓ上に示されてもよい。
【００４５】
本願に記載のように、携帯電話１０、表示装置３１及び接続部３２は、それらの間で一体に機能してプレゼンテーションシステム３０を提供する。プレゼンテーションシステム３０において、携帯電話１０により提供されるコンテンツは表示装置上に示される。表示装置上に示されるこのコンテンツはユーザの片方又は両方の手３３、３４を動かすことによって制御が可能である。片方の手のロケーション、両方の手のロケーション、両方の手の移動又はモーションを表すひとつ以上の画像が、携帯電話により利用されて、携帯電話の動作並びに表示装置上におけるコンテンツの表示を制御する。携帯電話１０のディスプレイ１８上にコンテンツとして示すことができるこれらの画像は、一人以上の個人が簡単に見ることができるように表示装置３１上に示すことも可能である。携帯電話１０のひとつ以上のスピーカによって表示装置３１に対して再生され得るか、あるいは別様に提供され得るオーディオコンテンツ等の別のコンテンツも、本書面において例として説明されているように、手のモーションとジェスチャの少なくともいずれかにより制御され得る。
【００４６】
図３Ａを見ると、プレゼンテーションシステム３０における携帯電話１０の利用が、顔３６の画像を示すために表示装置３１上に例示されている。表示装置３１の画面３１ｓのサイズに相応して、顔３６は相対的に小さくなる。すなわち、少なくとも顔全体はディスプレイ上に示される。携帯電話１０のユーザ（以下「ユーザ」と呼ぶ）の２つの手３３、３４は、カメラ２０、２１が手を表す光入力信号を受信できるように携帯電話に対して相対的な位置に示されている。それぞれのカメラへの光入力は、例えば、携帯電話において電気信号のような画像データに変換されてもよく、かつ、この画像データは以下に説明するように利用されてもよい。便宜上、画像データは単複の画像と以下において呼ぶ場合がある。さらに、カメラ２０、２１への光入力を以下で単に入力と呼ぶ場合がある。
【００４７】
図３Ａに、表示装置３１の画面３１ｓ上に示される顔３５の画像に関するズームアウト又はズームアウェイが例示されている。例えば、矢印３７、３８によって表されているように、それぞれのカメラ２０、２１に対する入力をそのまま考慮しつつ、かつ、それぞれのカメラ２０、２１に対する入力を提供しながら、携帯電話１０から離れる方向へ移動するユーザの両手３３、３４が示されている。以下さらに説明するように、携帯電話１０は、カメラ２０、２１への入力を表す画像の変化を検出あるいは検知するための回路及びプログラミングを含む（これらの両手がカメラから離れる方向へ移動していることを検知すると共に、例えば、このようなモーションが生じると、両手はさらに小さく見えることになる）。これらのカメラは、オートフォーカス機能を備えてもよく、この機能によってオートフォーカス機能が両手に焦点を合わせるように維持しようと試みるときなどに、このようなモーション情報の提供が可能となる。携帯電話１０は、ひとつ以上の画像を比較して、カメラから離れる方向へこのようなモーションが生じている旨を判定するためのコンパレータ機能を備えてもよい。
【００４８】
次いで、ユーザが携帯電話１０から離れる方向へ両手３３、３４を移動させると、携帯電話の回路は顔３６の画像等のコンテンツを変化させて、このコンテンツを画面３１ｓのサイズに応じて小さくする。この操作は、画像内に在るより多くの情報（体の別の部分と、顔３６の表示画像内に顔が配置されている周囲環境との少なくともいずれか等）を示しながら、画像に対して相対的にズームアウトを行って、画像部分を小さくする操作に類似する操作である。
【００４９】
図３Ｂを見ると、プレゼンテーションシステム３０において携帯電話１０を操作して、画面３１ｓ上に示された顔３６の画像に対してズームインを行うことにより、コンテンツを表示する例が例示されている。矢印３７、３８はお互いを指示して示されている。そして、ユーザの手３３、３４はカメラ２０、２１を考慮しながら携帯電話１０の方へ向う矢印によって表される方向に移動される。両手が携帯電話１０の方へ向かって移動するにつれて、両手は携帯電話の方へ向かって「進入する」ことが可能となり、顔３６の画像はズームインされ、従って、表示画面３１ｓのサイズに対して相対的に拡大されることになる。図３Ｂには、携帯電話１０がわずかに傾けられて、すなわち、ユーザの両腕に対して平行な軸線に対して相対的な角度で示されている。このことは、たとえこれらの両手が、携帯電話の主軸に対して垂直な方向に、あるいはそれぞれのカメラの見通し線に対して平行に、正確に移動されなかった場合であっても、図３Ａ及び図３Ｂに関して説明した操作を実行して、ズームイン又はズームアウトが可能であることを示すものである。画像比較とオートフォーカス処理の少なくともいずれかを行うために用いられるロジック回路とソフトウェア等とは、たとえ携帯電話の一部が手３３、３４のモーションに関して完全には位置合わせが行われていない場合であっても、所望のズームイン又はズームアウトの提供を十分に調整し、あるいは免除し、あるいはその少なくともいずれかを行うことが可能となる。
【００５０】
図４Ａ及び４Ｂは、表示装置３１の画面３１ｓ上に示される画像又はコンテンツをパンするための携帯電話１０の別の操作を例示する図である。片方の手３４を動かさないようにしながら、左手３３等の片手のみが携帯電話１０に対して相対的に移動される。それぞれの矢印３７ａによって表されているように、左手３３が携帯電話１０及びカメラ２０から離れる方向（図４Ａ）へ、あるいは、携帯電話及びカメラの方（図４Ｂ）へ移動されるにつれて、カメラ２０は左手３３のモーションを検知する。例えば片方の手３４のモーションがカメラ２１等の別のカメラにより検出されていない間、カメラ２０等の唯一のカメラにより受信された入力に基づいて、片手３３のみのこのようなモーションやジェスチャを検出する処理に応じて、携帯電話の回路とソフトウェアとの少なくともいずれか及びロジック回路は、画面３１ｓ上に示される顔３６の画像を図４Ａに示されているように左側へパンしたり、あるいは、図４Ｂに示されているように右側へパンしたりすることも可能である。片手３３のみの移動についての直上の説明は、図面に示されているように、パンを達成するために左手のみの移動に言及するものであるが、所望の場合、パンを達成するための移動を右手３４のみの移動により提供することも可能である。理解されるように、プレゼンテーションシステム３０において携帯電話１０により提供されたコンテンツが地図である場合、パンはきわめて有用なものとなり、このパンによって、ユーザは画面３１ｓの両端にわたって地図をパンして、地図の異なる複数の部分を示すようにすることが可能となる。同様に、地図がプレゼンテーションシステムにより表示装置３１上に示されると、細部を多目に又は少な目に示すためと、周囲の情報を多目に又は少な目に示すためとの少なくともいずれかを行うためのズームもまたきわめて有用なものである。
【００５１】
図５Ａ、図５Ｂ及び図５Ｃは、コンテンツとしてのリスト４０の中をスクロールし、かつ、リスト内の要素を選択するために携帯電話１０を使用する動作例を例示する図である。リストは名前、場所、金額のリストや事実上任意の項目、情報等のリストであってもよい。例示のリスト４０は名前のリストである。ユーザの方へ向かう方向へ又はユーザから離れる方向へテーブルに沿って右手３４等の片手をスライドすることによってユーザはリスト内をスクロールすることができる。例えば、手の動きによって光入力がカメラ２１へ提供されると共に、携帯電話も順次移動する手のモーションを検出する。携帯電話１０の回路及びソフトウェア又はロジック回路は、このようなモーションに応答して、表示装置３１により示されるリスト４０内をスクロールアップしたり、スクロールダウンしたりする。例えば、ユーザの方へ向かい、かつ、表示装置３１から離れる方向へ向かうモーションはリスト４０のスクロールダウンを引き起こす。ユーザから離れる方向へ向かい、表示装置の方へ向かうモーションはリストのスクロールアップを引き起こすことになる。
【００５２】
図５Ａはアルファベット順リストの最上部４０を示す図である。図５Ｂはアルファベット順リスト４０の中間部分を示す。スクロールが行われると、リスト内のそれぞれの異なる名前がハイライトされて、すぐに選択できるのはこれらの名前のうちのいずれであるかの特定が可能とになる。例えば、リスト４０が携帯電話１０のメモリに格納されたそれぞれの電話番号に対応する人の連絡先リストであれば、その連絡先が実際に選択された場合、ハイライトを行うことによって、携帯電話１０によりいつでも電話番号にダイアルできる連絡先を示すことも可能となる。これは単に１つの選択例である。選択が行われることによって、例えば、居住地のアドレス、電子メールアドレスあるいは別のアドレス情報、連絡先の写真等の当該連絡先に関する別の情報の表示を提供することも可能となる。図５Ｃに示されているように、Ｅｄｖｉｎという名前の選択は、すぐに選択できるものとしてリスト４０にハイライトされているものであるが、名前の選択は左手３３を使用すること、及び、カメラの視野からこの左手３３を上げ、かつ、上げる前の同じ位置までその左手を迅速に下げることにより実行が可能となる。左手のこのような動きをシミュレートして、コンピュータマウス上でボタンのクリックを行う場合のような「クリック」アクションを直感的に表すことも可能である。図５Ａ、５Ｂ及び５Ｃの例の中で説明した手とは反対の手を用いてスクローリング及びクリッキング／選択が実行できることは理解されよう。
【００５３】
図６Ａ及び６Ｂを見ると、表示装置３１によって英数字キーボード４１が示されている。図６Ａの例示では、キーボード４１は、英語のタイプライタ及びコンピュータキーボード用として一般に使用されているＱＷＥＲＴＹキーボードである。このキーボードは、他の言語でのタイピング等のような別の目的のために使用されるタイプのものであってもよい。個々の手３３、３４は、例えば想像上の分割ライン４２の両側に在るキーボードのそれぞれの表示されたキー等を指し示すために、実際にキーボード４１の１／２に対応付けることができる。左手３３等の両手のうちの一方の手を動かすことによってカメラ２０への光入力が提供される。このようなモーションを表す画像情報やデータは、分割ライン４２の左側（例えば図６Ａの例示図に対して相対的に下方）に対してキーボード４１のそれぞれの異なるキーの選択を引き起こすことができる。文字Ｒを表すハイライトされたキーが図６Ａに示されている。一方の手３４を静止状態に保ちながら、他方の手３３を左方へ（例示図に対して相対的に下方へ）移動させることによって、文字Ｅを表すキーをハイライトさせることが可能となる。図面に示されているように、例えば表示装置３１から離れる右方向へ手３３を移動させることによって、文字Ｄ又はＦをハイライトさせることが可能となる。上述したように右手３４等の片方の手によってクリックアクションを達成することにより、ハイライトされたキーの選択か可能となる。例えば、図６Ｂに表されているように、右手３４を上げてカメラ２１の視野から外し、次いで、右手３４を迅速に下して元のテーブル３５上に戻して、カメラ２１の視野に入るようにしてもよい。この時ハイライトされる文字は、例えばワープロプログラムにおいて使用するために選択されて、表示画面上に示された画像上等にラベルを提示することになる。別の実施形態によれば、手の指の単一又は複数のタッピングアクションのような動き（上げ、下げ等）が、複数のカメラのうちの１台のカメラへの光入力として提供され、次いで、キーボード４１の所定の文字又は本願に記載の別のコンテンツのうちのいずれかのコンテンツを選択する選択機能を実際に提供するように検出されてもよい。上述の例は本発明の利用を示す一例であり、所望され得るような事実上任意の利用のために英数字が提供される。
【００５４】
図１Ａ及び図７を参照すると、携帯電話１０の形の電子機器が示されている。携帯電話１０は、無線接続部と、通信機能と、４３でまとめて示されているＳＭＳ等のメッセージング機能とを備える。このブロック４３は、携帯電話等の無線電子機器用として知られている種々の接続機能、通信機能及びメッセージング機能を実行するように構成されている。通信機能４３は、電子機器１０内に常駐し、かつ、電子機器１０により実行される実行可能コードとして実現することも可能である。１つの実施形態では、通信機能４３は、コンピュータ又はコンピュータ可読媒体に格納されているひとつ以上のプログラムであってもよい。通信機能４３は、スタンドアロン型ソフトウェアアプリケーションであってもよいし、あるいは、電子機器１０に関係する追加タスクを実行するソフトウェアアプリケーションの一部を形成するものであってもよい。
【００５５】
また、以下の説明を通じて、接続、通信、コンテンツの送信、例えば上述したようなカメラ２０、２１等による光入力信号の受信並びに該光入力信号の解析を行うための例示の技術について以下さらに説明する。例示の諸技術についての説明を通じて、ソフトウェアの実行により部分的に実行可能な諸ステップの説明が行われるとは理解されよう。これら記載の諸ステップは、記載の機能を実行するコードを書くことができる当業者プログラマの基盤を形成するステップである。そのため、コンピュータプログラムのリストは簡潔さを旨として省かれている。しかし、これら記載のステップは、対応する装置により実行されるように構成された論理ルーチンであると考えてもよい。また、本願に記載の通信機能４３及び他の機能は実施形態に従うソフトウェアの形で実現されてはいるが、このような機能は、専用ハードウェア又はファームウェア、或いは、ハードウェアと、ファームウェアと、ソフトウェアとのうちの少なくともいずれかの何らかの組み合わせを通じて実行することも可能である。
【００５６】
携帯電話１０のディスプレイ１８は動作状態、時刻、電話番号、コンタクト情報、種々のメニュー等のような情報をユーザに表示し、この情報によってユーザは携帯電話１０の種々の特徴を利用することが可能となる。また、ディスプレイ４４を用いて、携帯電話１０が受信するか、出力するかの少なくともいずれかを行うコンテンツと、携帯電話１０のメモリ４６から取り出されたコンテンツとの少なくともいずれかのコンテンツを視覚的に表示することも可能である。ディスプレイ１８を用いて、写真、移動体用テレビのコンテンツ、インターネットのページ、ゲームに関連付けられたビデオのような、画像、ビデオ及びその他のグラフィックをユーザに提示することも可能である。
【００５７】
キーパッド１３は種々のユーザ入力操作を提供する。例えば、キーパッド１３は、（電話番号、電話番号リスト、連絡先情報、覚え書き、テキスト等のような）英数字情報の入力を可能にするための英数字キー、（呼送信応答キー、マルチメディア再生制御キー、カメラシャッタボタン等のような）特別のファンクションキー、ナビゲーション兼選択キー、ポインティングデバイス等を含んでもよい。また、キーあるいはキー様の機能をディスプレイ１８に関連付けられたタッチスクリーンとして実現することも可能である。また、ディスプレイ１８及びキーパッド１３はソフトキー機能を実現するために互いに組み合わされて使用されてもよい。
【００５８】
電子機器１０には図７において１１ｃで一般的に示されている通信回路が含まれ、この通信回路が電子機器１０による別の装置との通信の確立を可能にする。上述したように、通信は呼、データ転送等を含むものであってもよく、この通信には、表示装置３１との接続部３２を介して、コンテンツと他の信号の少なくともいずれかを提供するステップが含まれる。また、通信にはＷＬＡＮや別のネットワーク等との無線通信が含まれてもよい。呼は音声通話及びテレビ電話のような任意の適切な形態を取ってもよい（但しこれらのみに限定されるわけではない）。これらの呼は、例えば、セルラ回線交換ネットワークを介して実行されてもよいし、あるいは、セルラネットワークのパケット交換機能を介するか、（通常ＷｉＦｉと呼ばれるＩＥＥＥ８０２．１１との互換性を有するネットワークや、通常ＷｉＭＡＸと呼ばれるＩＥＥＥ８０２．１６との互換性を有するネットワークのような）代替のパケット交換ネットワークを介して確立されるインターネットプロトコル（ＶｏＩＰ）通話を介する音声の形の呼であってもよい。データ転送は、（ストリーミングオーディオ、ストリーミングビデオ等のような）ストリーミングコンテンツを受信するステップと、（プッシュされたデータ、ポッドキャスト、リアリィ・シンプル・シンジケーション（ＲＳＳ）のデータフィード等の）データフィードを受信するステップと、（画像ファイル、ビデオファイル、オーディオファイル、着信音、インターネットコンテンツ等のような）データのダウンロードとアップロードの少なくともいずれかのステップと、（テキストメッセージ、インスタントメッセージ、電子メールメッセージ、マルチメディアメッセージ等の）メッセージを送受信するステップ等のステップを含んでもよい（但しこれらのステップのみに限定されるわけではない）。このデータは携帯電話１０により処理されてもよく、この処理には、データをメモリ４６に格納するステップと、データとのユーザインタラクションを可能にするためにアプリケーションを実行するステップと、データに関連付けられたビデオと画像の少なくともいずれかのコンテンツを表示するステップと、データに関連付けられたオーディオサウンドを出力するステップ等が含まれる。
【００５９】
本実施形態例では、通信回路１１ｃは無線回路５２と結合されたアンテナ５０を備えてもよい。無線回路５２はアンテナ５０を介して信号を送受信するための無線周波数送受信機を備える。無線回路５２は移動通信システムにおいて動作するように構成されてもよい。移動無線ネットワークとブロードキャストネットワークの少なくともいずれかとのインタラクションを行うための無線回路５２のタイプには、移動通信用グローバルシステム（ＧＳＭ）、符号分割多元接続（ＣＤＭＡ）、広帯域ＣＤＭＡ（ＷＣＤＭＡ）、汎用パケット無線サービス（ＧＰＲＳ）、ＷｉＦｉ、ＷｉＭＡＸ、携帯機器向けデジタルビデオ放送規格（ＤＶＢ−Ｈ）、一体型サービスデジタル放送（ｉＳＤＢ）、高速パケットアクセス（ＨＳＰＡ）等、並びに、これら規格の上位のバージョン若しくは別の任意の適切な規格が含まれる。但しこれらのみに限定されるわけではない。電子機器１０は２以上の規格を用いて通信が可能なものであってもよいことは理解されよう。従って、アンテナ５０及び無線回路５２は単複の無線トランシーバを表すことも可能である。
【００６０】
携帯電話は、回路、ソフトウェア、及びロジック回路１１ｃ部内に、例えば、携帯電話１０の機能及び動作の制御全体を実行するように構成された主制御回路６０を含む。制御回路６０は中央演算処理装置（ＣＰＵ）、マイクロコントローラ又はマイクロプロセッサのような処理装置６２を備えてもよい。処理装置６２は、制御回路６０の内部に在るメモリ（図示せず）と、メモリ４６のような分離メモリとの少なくともいずれかのメモリ内に格納されたコードを実行する。このコードの実行は携帯電話１０の動作を実行するためである。例えば、処理装置６２は、無線接続及び、例えばＳＭＳや別のメッセージ機能を含む通信機能４２を実行するコードの実行のみならず、接続部３２の接続と制御の少なくともいずれかを行うことができる。メモリ４６は、例えば、ひとつ以上のバッファ、フラッシュメモリ、ハードドライブ、取り外し可能媒体、揮発性メモリ、不揮発性メモリ、ランダムアクセスメモリ（ＲＡＭ）、あるいは別の好適な装置であってもよい。典型的な構成では、メモリ４６は、長期データ格納用の不揮発性メモリと、制御回路６０用のシステムメモリとして機能する揮発性メモリとを含んでもよい。メモリ４６は、データバスを介して制御回路６０とデータの交換を行うことも可能である。また、付随する制御ライン及びアドレスバスがメモリ４６と制御回路６０との間に存在してもよい。
【００６１】
制御回路６０、処理装置６２、接続／通信機能部４２及びコンパレータ部並びに制御機能部１２０は、携帯電話１０から得られるコンテンツの表示ステップの遠隔制御を提供するために、本願に記載のステップを実行するように構成され、協働し、かつ、適合される。
【００６２】
携帯電話１０には、無線回路５２により送信され／無線回路５２から受信されるオーディオ信号の処理を行うサウンド信号処理回路６４もさらに含まれる。携帯電話１０を介してユーザが聴いたり、話したりすることができるようにするマイク１６及びスピーカ１７がサウンド処理回路６４と結合されている。無線回路５２及びサウンド処理回路６４は処理全体を実行できるように制御回路６０と個別に結合されている。ユーザへの再生のために、制御回路６０からサウンド信号処理回路６４へオーディオデータを渡してもよい。オーディオデータは、例えば、メモリ４６により格納され、かつ、制御回路６０により取り出されるオーディオファイルから得られるオーディオデータか、移動無線サービスから得られる音声通信又はストリーミングオーディオデータの形のようの受信済みオーディオデータを含んでもよい。サウンド信号処理回路６４は任意の適切なバッファ、デコーダ、増幅器等を備えてもよい。
【００６３】
ディスプレイ１８は、ビデオ処理回路７０によって制御回路６０との結合が可能であり、該ビデオ処理回路７０は、ディスプレイ１８（及び表示装置３１）の駆動用として使用されるビデオ信号にビデオデータを変換する。ビデオ処理回路７０は任意の適切なバッファ、デコーダ、ビデオデータプロセッサ等を備えてもよい。ビデオデータは、制御回路６０によって生成されるか、メモリ４６内に格納されているビデオファイルから取り出されるか、無線回路５２によって受信された着信ビデオデータストリームから導き出されるか、あるいは別の任意の好適な方法によって取得されてもよい。上記とは別に、ディスプレイ１８を動作させるビデオ処理回路７０の代わりに、又はこのビデオ処理回路７０に加えて、別の表示ドライバを使用することも可能である。
【００６４】
電子機器４０はひとつ以上の入力／出力（Ｉ／Ｏ）インタフェース７２をさらに備えてもよい。Ｉ／Ｏインタフェース７２は、一般的な移動電話機用Ｉ／Ｏインタフェースの形をしたものであってもよく、ひとつ以上の電気コネクタを含むものであってもよい。Ｉ／Ｏインタフェース７２は、（コンピュータ等の）別の装置又は（個人用ハンズフリー（ＰＨＦ）装置等の）アクセサリと携帯電話１０とをケーブルを介して接続するためのひとつ以上のデータポートを形成してもよい。このようなデータポートは携帯電話１０から表示装置３１へコンテンツを提供するための接続部３２の一部にしてもよい。さらに、動作電力はＩ／Ｏインタフェース７２を介して受信されてもよく、かつ、電子機器４０内の電力供給装置（ＰＳＵ）７４のバッテリを充電するための電力はＩ／Ｏインタフェース７２を介して受信されてもよい。ＰＳＵ７４は外部電源が存在しない場合に電子機器４０を動作させるための電力を供給することができる。Ｉ／Ｏインタフェース７２は、キーパッド１３から／によって、タッチパネル式ディスプレイ１８からデータ入力とコマンドの少なくともいずれかを受信するように結合されてもよいと共に、ディスプレイを介するか、表示装置３１を介するかの少なくともいずれかを介して情報の図示／表示を行うように結合されてもよい。
【００６５】
また、携帯電話１０の回路、ソフトウェア、及びロジック回路１１は種々の構成も備えてもよい。例えば、システムクロック７６は、制御回路６０及びメモリ４６のような構成要素の計時を行うことができる。上述したように、デジタル写真とデジタル動画の少なくともいずれかを撮影するために、並びに、プレゼンテーションシステム３０を制御するための光入力を表す画像を取得する際に使用するためにカメラ２０、２１が備えられている。写真と動画の少なくともいずれかに対応する画像ファイルとビデオファイルの少なくともいずれかのファイルがメモリ４６に格納されてもよい。全地球測位システム（ＧＰＳ）受信機、ガリレオ衛星システム受信機等のような位置データ受信機８０が電子機器４０のロケーション決定に関与することも可能である。赤外線トランシーバとブルートゥースチップセット等のＲＦトランシーバの少なくともいずれかのようなローカル無線インタフェース８２を使用して、（ＰＨＦ装置等の）アクセサリ、別の移動無線端末、コンピュータ、テレビ、コンピュータモニタ、表示装置３１、あるいは別の装置等のような近くのデバイスと通信を確立してもよい。ローカル無線インタフェース８２は、上述したように、接続部３２の一部として使用されるか、あるいは、接続部３２の一部であってもよい。
【００６６】
処理装置６２は、接続及び通信機能４３（接続部３２を介する表示装置３１への表示用コンテンツや別の出力の提供）を実現するコードの実行も可能であることは理解されよう。接続及び通信機能４２に関連する論理機能の動作と実行のために携帯電話１０をプログラムする方法は、コンピュータプログラミング技術、特に携帯電話や別の電子機器のアプリケーションプログラミング技術の分野における当業者には明らかであろう。従って、具体的なプログラミングコードに関する詳細については簡潔さを旨として省略した。また、接続及び通信機能４２が実施形態に従って処理装置６２により実行されてはいるが、このような機能は、専用ハードウェア又はファームウェア、或いは、ハードウェアと、ファームウェアと、ソフトウェアとのうちの少なくともいずれかの何らかの組み合わせを通じて実現することも可能である。
【００６７】
上記に説明された種々の機能（例えば接続及び通信機能４２並びに表示装置３１上でのコンテンツの表示等）を実行するためのコンピュータプログラムフローチャート又は論理回路図の諸例について以下説明する。他の一般的な電話機能、ＳＭＳ機能及び携帯電話１０の他の機能は従来の方法で実行することが可能であり、簡潔さを旨として本願では詳述しない。このような一般的な機能及び動作は、携帯電話、コンピュータ及び別の電子機器の技術の分野における当業者には明らかであろう。
【００６８】
図８、図９及び図１０をさらに参照すると、本発明の方法例（携帯電話１０によって接続部３２を介して表示装置へ提供されるコンテンツの表示等）を実現するための論理処理が例示されている。従って、図８、図９及び図１０のフローチャートは、携帯電話１０により実行される方法ステップを描く図と考えてもよい。図８、図９及び図１０は機能論理ブロック又はステップを実行する或る特定の順序を示すものではあるが、これらのブロック又はステップを実行する順序は図示の順序に対して相対的に変更されてもよい。また、連続して示されるふたつ以上のブロックを同時に実行してもよいし、あるいは部分的に同時に実行してもよい。また、或る種のステップは省いてもよい。さらに、強化されたユーティリティ、課金、パフォーマンス、測定、トラブル・シューティング等を目的として、任意の数の機能、論理処理、コマンド、状態変数、セマフォ、又はメッセージを論理フローに追加することも可能である。すべてのこのような変更例は本発明の範囲内に属すると理解されたい。
【００６９】
携帯電話１０に係る本方法及び処理を実行するための例示の論理フロー（フローチャート）が図８の１００に示されている。本方法又はルーチンは、携帯電話１０のスイッチオン又はパワーアップの際等に開始ステップ１０２から開始する。ステップ１０４において、遠隔制御機能が要求あるいは求められた（例えばプレゼンテーションシステム３０において携帯電話１０を用いて、携帯電話によって提供されると共に、上述の手のモーション（動き）によって制御されるコンテンツを表示装置３１上に示すことが所望された）かどうかについての問合せが行われる。要求されていなければループ１０６が次に実行される。要求されていれば、ステップ１０８において、例えば、接続部３２を介して有線又は無線のいずれかの方式で、携帯電話１０と表示装置３１との間で通信が確立される。ステップ１１０において、例えば、図６Ａ及び図６Ｂに関して上記に説明した機能を実行するために書込みが選択されたかどうかの問合せが行われる。選択されていなければ、ステップ１１２において、手のモーション等のモーションが検出されたか、あるいは、携帯電話のコンテンツを表示用として提供する際に、携帯電話の動作を制御するために利用可能な画像情報として、カメラ２０、２１の片方又は両方により提供され得る上述したような別の光入力が検出されたかどうかについて問合せが行われる。モーション又は光入力が検出されなかった場合、ループ１１４が次に実行される。モーション又は光入力が検出された場合、ステップ１１６においてモーションは復号化される。例えば、手３３、３４は、ズーミング機能を引き起こすために携帯電話１０へ向う方向へ又は携帯電話１０から離れる方向へ移動される。片方の手はパン機能を引き起こすために移動される。キーを指す手又は指はキー選択機能を引き起こす。カメラの視野外へ上げられ、かつ、視野内へ迅速に移動して戻された手は、指又は手のタップを引き起こす→片方の手はカメラの視野外へ上げられ、かつ、視野内へ迅速に移動して戻される。あるいは、指又は手はタップされる等。これらすべての動作は携帯電話１０への入力携帯電話１０の制御を提供することができる。ステップ１１８において、ステップ１１６でのモーションの復号化又は光入力の結果に従って機能が実行される。例えば、表示装置３１上に、また、場合によってはディスプレイ１８上にも示される機能がＧＵＩから選択されてもよく、画像がズームされたり、パンされたりしてもよい。あるいは、表示されたキーボードのキーが選択されてもよい。若しくは、リストがスクロールされ、次いで、該リスト内の項目が選択されてもよい。
【００７０】
図７へ戻って手短に参照すると、ステップ１２０において処理装置６２の一部としてコンパレータ及び制御機能が存在する。コンパレータ及び制御機能は、光入力としてカメラへ提供されると共に、コンピュータソフトウェア又はロジック回路において実行されて、電子回路１１において画像情報に変換される画像又はモーションに基づいて実行すべき意図された制御機能が何であるかを判定するようにしてもよい。例えば、コンパレータのコンパレータ部及び制御機能部１２０は合焦を維持するために、又は、それぞれのカメラ２０、２１から手３３又は３４への合焦を維持しよう試みるために自身で調節を行うオートフォーカスデバイスを備えてもよい。オートフォーカスシステムは市販され、かつ、多くのカメラシステムにおいて利用されている。このようなデバイスはカメラからの手の距離を決定し、かつ、上記のような情報が信号等として提供され得るように使用して、コンテンツが携帯電話１０及び表示装置３１によって表示される態様を制御するようにしてもよい。コンパレータ及び制御機能１２０は、モーションが生じたかどうか、そして、モーションが生じた場合、例えば速度、方向、方向の変更等を示す当該モーションを示すキャラクタが何であるかを判定するために２以上の画像を比較するコンパレータを備えてもよい。例えば、手３３の画像がカメラ２０に対して１つの相対的な位置に在り、かつ、その後、該カメラに対して相対的に異なる位置に在るかどうかの判定は、異なる時刻に取得される手の画像のエッジ関係の判定、あるいは、いくつかの画像、方向、速度等に対して相対的な何らかの別の判定によって決定が可能であると共に、携帯電話１０の動作及びコンテンツが表示装置３１上に示される態様を制御するために判定を利用することが可能である。
【００７１】
図９を見ると、図８の復号化モーションステップ１１６及びエフェクト機能／送信制御１１８がさらに詳細に図示されている。
【００７２】
ステップ１１２において、モーションが検出されたかどうかについて問合せが行われる。これに関連するモーションへの参照は、例えば、携帯電話１０が表示装置３１へコンテンツを提供し、かつ、上述したように遠隔制御及び遠隔操作のための携帯電話への光入力として、手のような物体の位置を介する制御を許可するように動作設定が行われているとき、たとえ全くモーションが存在しなかった場合であっても、片手の位置が検出されたかどうかを意味することが可能である。
【００７３】
ステップ１３０において、図３Ａ及び３Ｂに関して上述したように、検出された動きが（携帯電話１０のそれぞれのカメラ２０、２１の方向へ向うか、あるいは、該カメラ２０、２１から離れる方向へ向うような）ユーザの両手の同時移動等のバランスのある横運動であるかどうかについての問合せが行われる。この問合せに対する応答がイエスであれば、ステップ１３２において、両手が携帯電話１０の方へ動いているかどうかについての問合せが行われる。この問合せに対する応答がイエスであれば、ステップ１３４においてズームイン機能が実行され、応答がノーであればステップ１３６において、ズームアウトステップが実行される。
【００７４】
ステップ１３０において、検出された動きがバランスのある横運動でなければ、図４Ａ及び図４Ｂに関して例示し、かつ、説明したようなモーションが片手のみのタイプの横運動であるかどうかについての問合せがステップ１４０において行われる。この問合せに対する応答がイエスであれば、片手のみの横運動が左方向へ向かうモーション（左手により行われる携帯電話１０から離れる方向へ向かうモーション）であるかどうかについての問合せがステップ１４２行われる。この問合せに対する応答がイエスであれば、表示装置３１上に示される画像はステップ１４４において左方向へパンされる。応答がノーであれば、ステップ１４６において表示画面１３１上に示される画像は図４Ａ及び４Ｂに関して説明したように右方向へパンされる。
【００７５】
ステップ１４０において、検出済みモーションが片手のみの横運動でなければ、ステップ１５０において、モーションが図４Ａ、図５Ｂ及び図５Ｃに関して上記で説明したような、（例えば右手等の）片手による前後のモーションであるかどうかについての問合せが行われる。この問合せに対する応答がイエスであれば、ステップ１５２において、検出済みモーションが順方向のモーション（例えばユーザの体から離れる方向へ向かうような順方向のモーションと、表示装置３１の方向へ向かうような順方向のモーションの少なくともいずれかのモーション）であるかどうかについての問合せが行われる。この問合せに対する応答がイエスであれば、ステップ１５４において、表示画面上に示される画像（例えばリスト等）はスクロールアップされる。この問合せに対する応答がノーであれば、ステップ１５６において画像はスクロールダウンされる。
【００７６】
ステップ１５０において、モーションが左手を動かさずに行う右手による前後のモーションでなければ、ステップ１５８において、コンピュータマウスタイプのクリック機能をシンボル化するために、左手が上げられ、次いで、迅速に下げられたかどうかについての問合せが行われる。この問合せに対する応答がイエスであれば、ステップ１６０において、このようなクリック機能が実行されると共に、ループ１６２が次に実行されてステップ１１２へ戻る。ステップ１５８において、クリック機能をシンボル化するために、左手が上げられ、次いで、迅速に下げられたのでなければ、ループ１６４が次に実行されてステップ１１２へ戻る。
【００７７】
図８及び図１０を参照すると、ステップ１１０において、例えば上記の図６Ａ及び図６Ｂに関して図示し、説明した表示のキーボードを用いて書込みが選択された場合、ステップ１７０において、モーションが検出されたかどうかについての問合せが行われる。この問合せに対する応答がノーであれば、ループ１７２が次に実行される。この問合せに対する応答がイエスであれば、ステップ１７４において、モーションが、例えばコンピュータマウスタイプのクリックアクションをシンボル化するために、適切なカメラの視野から一時的に見えなくなり、次いで、カメラの視野内へ戻ってくる手のリフティング（すなわち手又は指によるタッピング）であるかどうかについての問合せが行われる。この問合せに対する応答がイエスであれば、ステップ１７６において、キーボード４１上のハイライトされた文字が選択されるなど、キャラクタが選択される。応答がノーであれば、ステップ１７８において、左手３３のモーションが検出されたかどうかについての問合せが行われる。この問合せに対する応答がイエスであれば、ステップ１８０において、左手のモーションが解読されて、キーボード４１の分割ライン４２の左側のどの文字が指示され、かつ、ハイライトされるべきかの検出が行われる。次いで、ステップ１８２において、キャラクタが示されるか、あるいはハイライトされる。ステップ１７８において、モーションが左手のモーションでなかったことが問合せにより示された場合、モーションは右手３４のモーションであった旨が理解され、次いで、ステップ１８２において、当該モーションは解読されて、表示されたキーボード４１に対して相対的に分割ライン４２の右側に在る文字が右手３４により指示され、次いで、ハイライトされるべきかが決定されることになる。ステップ１８０において、このような文字が示されるか、ハイライトされる。次いで、ループ１８６が次に実行されて、ステップ１７０へ戻る。プロセスは繰り返されて、表示装置３１と、ディスプレイ１８と、回路１１への入力（図７）とのうちの少なくともいずれかにおいて示すこともできる単語全体、文等が形成される。
【００７８】
少時図１１を参照すると、プレゼンテーションシステムの別の実施形態３０'が例示されている。プレゼンテーションシステム３０'は、表示装置３１'が、携帯電話１０からコンテンツを受信し、次いで、スクリーン、壁等１９０上へコンテンツを表す画像を投影するプロジェクタであるという点を除いて、プレゼンテーションシステム３０に類似している。プレゼンテーションシステム３０'の動作はに説明したプレゼンテーションシステム３０の動作と同一であるか、あるいは類似している。
【００７９】
プレゼンテーションシステム３０、３０'において使用されたり、別様に使用されたりする携帯電話１０が、位置と、モーション（動き）と、ユーザの手のジェスチャ等とのうちの少なくともいずれかに基づいて、遠隔制御により動作可能であることは理解されよう。
【００８０】
図８、図９、図１０の上述の論理回路図において、１００、１２０、１４０が例示のものであることは理解されよう。本願に記載の特徴を有する携帯電話１０を多くの異なる方法で動作させて、本願に記載の機能及び効果を得るようにすることも可能である。
【００８１】
上述したように、本発明は、ユーザの手又は指のジェスチャ、動き、画像等を用いることによって種々の機器のために遠隔制御機能を提供するものである。人体の別の部分あるいは何らかの方法で把持される器具の別の部分のジェスチャ、移動、画像等を用いることによっても本発明を実行するための種々の光入力の提供が可能であることは理解されよう。指定されたモーションが、所望の応答を引き起こすための光入力を提供することも可能である。例えば、に説明したように表面の両端にわたって手をスライドさせる代わりに、手振りモーション、宗教的なシンボルを空間内に作るモーション、例えばサインランゲージ等と同様の、指のモーションの組み合わせ又は指のモーションの連続によって行われるジェスチャ、又は任意のモーションと、これらモーションのうちのひとつ以上の組み合わせとのうちの少なくともいずれかを所望の応答を引き起こすための光入力として使用することも可能である。このような１つの応答として、リスト内を通るスクローリング、地図を横断するパニング等のような表示情報内でのナビゲーションによる応答や、あるいは、ユーザインタフェースすなわちＧＵＩ（グラフィカルユーザインタフェース）の形で示される動作モード又は機能の切替えのための応答がある。
【００８２】
いくつかの追加の実施形態が図１２〜図１６に例示されている。これらの実施形態は概略的に示されている。上述の実施形態のシステム、回路、方法及び処理が図１２〜１６に例示されているそれぞれの実施形態と組み合わされて使用されてもよいことは理解されよう。
【００８３】
少時図１２を参照すると、アクセサリデバイス２００が主要機器２０１と組み合わされて例示されている。主要機器２０１は、携帯電話１０に関して上記に説明したように、コンピュータ、電子ゲーム、テレビ又は何らかの別のデバイスであってもよいと共に、アクセサリデバイス２００を使用して、遠隔制御を主要機器へ提供するか、主要機器のためのコンテンツを提供するかの少なくともいずれかを行うようにしてもよい。アクセサリデバイス２００は、例えば上記に説明したようなカメラ２０、２１と同様の一対のカメラ２０、２１を備える。アクセサリデバイス２００は回路２０２を備えてもよく、この回路２０２は、上記に説明したように動作して、主要機器２０１の遠隔制御とコンテンツの少なくともいずれかを例えば回路２０２につながる有線接続部又は無線接続部３２を介して主要機器２０１へ提供して、上記記載の方法及び動作を実行できるようになっている上記記載の回路、ソフトウェア及びロジック回路１１と同様の回路であってもよい。例えば、主要機器２０１が電子ゲーム機のようなゲーム用装置である場合、アクセサリデバイス２００によって検知される手のジェスチャによってゲーム機能の遠隔制御を行うことも可能である。別例として、主要機器２００がディスプレイ、テレビ、プロジェクタ等であった場合、手のジェスチャ等を用いて、アクセサリデバイス２００は主要機器の遠隔制御操作を行うか、主要機器により表示されるようにコンテンツの提供を行うかの少なくともいずれかを行うことが可能である。
【００８４】
図１３に例示されている実施形態では、携帯電話等の２台の電子機器２１０、２１１が、光入力信号の受信が可能であると共に、動き検出回路２０２を備えたビデオカメラか、別のカメラのような唯一のカメラ２１２を個々に備えている。これらのカメラは、動きやジェスチャ等のような光入力信号を受信し、かつ、それぞれの携帯電話内の回路２０２は光入力としてカメラにより受信されるそれぞれのモーションを検出し、かつ、接続部３２を介してコンテンツの提供等の主要機器２０１への遠隔制御の提供を行うことができる。従って、図１３の実施形態では、２台のカメラ２０、２１を備えた１台の携帯電話ではなく、個々の携帯電話２１０、２１１が単一の携帯電話２１２と、関連付けられた回路とを備えて。携帯電話１０に関して記載したステップを実行できるようになっている。携帯電話２１０、２１１は、有線接続によって、あるいは、無線接続によって２１３に図示のように電気的に一体に接続されたものであってもよく、この接続によって、携帯電話１０に関してに説明したように、携帯電話２１０、２１１の片方又は両方において、カメラ２１２が受信したそれぞれの光入力を回路により利用して、主要機器２０１の遠隔制御の達成と主要機器へのコンテンツの提供との少なくともいずれかを行うためのジェスチャ、モーション等を検出することが可能になる。
【００８５】
図１４に例示されているさらに別の実施形態では、例えば携帯電話及び（コンピュータカメラ等の）ウエブカメラ２２１のような電子機器２２０を使用して、ジェスチャ、動き、モーション等の光入力信号を受信するカメラ機能を提供し、主要機器２０１のためのコンテンツの遠隔制御と配信の少なくともいずれかを行うために画像信号を回路２１３へ提供し、ジェスチャ、動き、モーション等を検出するために接続部３２を介して送信される信号等を提供するようにしてもよい。回路２１３は接続部２１４を介してカメラ２２１から画像情報を受信することが可能であると共に、電子機器２２０のカメラ２１２から画像情報を受信することも可能である。
【００８６】
図１５は、可動カメラ２３１を備えた携帯電話等の電子機器２３０を例示する図である。回路２１３は、カメラ２３１の動作を制御して、矢印２３２によって概略的に表されているようにカメラを回動させたり、枢動させたり、揺らしたりあるいは別様に動かしたりして、いくつかの異なる方向から光入力信号を受信できるようにすることも可能である。回路２１３は、に一般的に説明したように、画像情報又は光入力を表す信号を復号化して、遠隔制御と、コンテンツの配信との少なくともいずれかを接続部３２等を介して主要機器２０１へ提供することも可能である。
【００８７】
図１６は別の実施形態を例示する図である。この実施形態では、携帯電話等の電子機器２４０、２４１は、本体部分２４２、２４３及び、例えば本体部分に対して相対的に回動可能な可動式のカメラ部分２４４、２４５を備える。携帯電話２４０、２４１は、それぞれのカメラ２４４、２４５がそれぞれの異なる光入力信号を受信できるようにそれぞれの異なる方向に回動されたり、傾斜されたりしている状態でテーブル又は別の表面２４６上に置かれて図示されている。表面２４６に対して相対的にいくぶん上方向に向くようにカメラが傾斜されていることに起因して、モーション又はジェスチャ等を示す光入力は携帯電話の上方から入来するようになる。従って、この光入力は、それぞれの電話機の上方に在るそれぞれの手の手振り又は別の動きといった手のジェスチャ、又は、一人の人物の頭部の傾き又は二人の人物のそれぞれ頭部の傾きといった別の体の部分の動き、あるいは何らかの別の光入力となる場合もある。これらのカメラは上方に向けられ、しかも異なる方向に傾斜された状態で示されてはいるが、所望の光入力信号を受信するために、所望のようにカメラを調整して、別の方向に面するようにすることも可能であることは理解されよう。主要機器２０１に対するコンテンツの制御と、主要機器２０１へのコンテンツの配信との少なくともいずれかを達成するための回路２１３、接続部２１４及び接続部３２の動作は、例えば上述のような動作であってもよい。
【００８８】
図１に関して上述したように、例えば電子機器２４０、２４１の本体２４２、２４３はディスプレイ１８を備えてもよい。カメラ２４４、２４５がそのそれぞれの本体に対して相対的に回動できることに起因して、ユーザの手、指、体の他の部分等から光入力信号を受信できるようにそれぞれのカメラを配向しながら、ユーザが一方の又は両方のディスプレイを見ることができるような配向で電子機器２４０、２４１の位置決めを行うことが可能である。従って、電子機器の使用に際して、ユーザは、主要機器２０１の制御の提供、又は、ディスプレイと主要機器とのうちの少なくともいずれかへのコンテンツの配信の代わりに、あるいは提供又は配信に加えて、一方の又は双方のディスプレイにおける結果を観察しながら、例えばジェスチャ、モーション等のそれぞれの光入力を提供して、遠隔制御機能を達成するようにしてもよい。時として、従来の移動電子機器において、ボタンの押圧、スライドの移動等を行うことによって機器も制御しながらディスプレイを見ることが問題となることがある。その理由として、このような制御を行うための手の配置が、ディスプレイを見ることを妨げるということが挙げられる。このような問題は、ディスプレイのユーザの見通し線から外れたロケーションから光入力を取得するために傾斜や回動等を行うことが可能なそれぞれのカメラが光入力を受信したとき、ジェスチャを利用して遠隔制御を提供するようにし、これによって、ディスプレイの閲覧を妨げることなく電子機器の遠隔制御を提供することによって解決を図ることが可能となる。
【００８９】
本発明の部分は、ハードウェア、ソフトウェア、ファームウェア又はそれらを組み合わせた形で実現され得ることは理解されよう。上述した実施形態において、多くのステップ又は方法が、メモリに格納され、かつ、適切な命令実行システムにより実行されるソフトウェア又はファームウェアの形で実現されてもよい。例えば一代替実施形態の場合のようにハードウェアで実現される場合、当技術分野において周知の以下の技術のうちのいずれか又はそれらの組合せで上述した多くのステップ又は方法は実現されるであろう。これら周知の技術とは、論理機能をデータ信号上で実現する論理ゲートを備えた個別の論理回路、適切な組合せ論理ゲートを備えた特定用途向け集積回路（ＡＳＩＣ）、プログラマブルゲートアレイ（ＰＧＡ）、フィールドプログラマブルゲートアレイ（ＦＰＧＡ）等を指すものとする。
【００９０】
フローチャート内の任意の処理又は方法についての説明あるいはブロックは、特定の論理機能又は処理ステップを実現するひとつ以上の実行可能な命令を含むモジュール、セグメント又はコードの一部分を示すものとして理解されてもよい。本発明の当業者により理解されるように、必要とされる機能性に依存して図示又は説明された順序とは異なる順序、例えば実質的に同時に又は逆の順序で機能が実行される別の実現例も本発明の好適な実施形態の範囲内に含まれるものとする。
【００９１】
例えば論理機能を実現する実行可能な命令の順序付けされたリストを考慮する図面のフローチャートに示す論理とステップの少なくともいずれかは、命令実行システム、命令実行装置又は命令実行デバイス、例えばそれらから命令を取り出しかつその命令を実行するコンピュータに基づくシステム、プロセッサを含むシステムや別のシステムにより使用されるか、あるいはそれらと組み合わされた形で使用される任意のコンピュータ可読媒体で具体化される。本明細書に関して、「コンピュータ可読媒体」は、命令実行システム、命令実行装置又は命令実行デバイスにより使用されるか、あるいはそれらと組み合わされた形で使用されるプログラムを包含するか、格納、通信、伝播又は転送する任意の手段であってもよい。コンピュータ可読媒体は、例えば電子、磁気、光学、電磁、赤外線又は半導体システム、装置、デバイス、あるいは伝播媒体であってもよいが、それらに限定されない。コンピュータ可読媒体のより具体的な例（非網羅的リスト）には、ひとつ以上の電線を有する電気的接続（電子）、携帯コンピュータディスケット（磁気）、ランダムアクセスメモリ（ＲＡＭ）（電子）、読み出し専用メモリ（ＲＯＭ）（電子）、消去可能プログラマブル読み出し専用メモリ（ＥＰＲＯＭ又はフラッシュメモリ）（電子）、光ファイバ（光学）及び携帯コンパクトディスク読み出し専用メモリ（ＣＤＲＯＭ）（光学）が含まれるであろう。尚、プログラムは、例えば紙や別の媒体の光学走査を介して電子的に取り込まれ、必要に応じて適切にコンパイル、解釈又は処理されてコンピュータメモリに格納されるため、コンピュータ可読媒体は、プログラムが印刷された紙又は別の適切な媒体であってもよいことに留意すべきである。
【００９２】
上記説明及び添付の図面は、本発明の種々の特徴を示す。上述されかつ図示される種々のステップ及び手順を実行するために適切なコンピュータコードを当業者が準備することが理解されるであろう。上述の種々の端末、コンピュータ、サーバ、ネットワーク等は実質的にいかなる種類であってもよく、本明細書の開示に従ってそのような装置を使用し、本発明を実行するためにコンピュータコードが準備されることはさらに理解されるであろう。
【００９３】
本発明の特定の実施形態が本明細書で開示される。本発明が他の環境において他の適応例を有してもよいことは、当業者には容易に認識されるであろう。実際に、多くの実施形態及び実現例が可能である。以下の請求の範囲は、本発明の範囲を上述の特定の実施形態に限定することを意図したものではない。また、「〜する手段」の任意の列挙は、要素及び請求項の手段プラス機能の解釈を喚起することを意図する一方、「〜する手段」を特に列挙しない任意の要素は、請求の範囲が用語「手段」を含む場合であっても、手段プラス機能要素として解釈されることを意図したものではない。
【００９４】
ある特定の好適な一実施形態又は複数の実施形態に関して本発明を図示しかつ説明したが、本明細書及び添付の図面を読みかつ理解することにより、当業者が等価な変更及び変形を考案することは明らかである。特に、上述の要素（構成要素、アセンブリ、デバイス、構成等）により実行される種々の機能に関して、特に指示のない限り、そのような要素を説明するために使用される用語（「手段」を参照することを含む）は、本明細書で例示する本発明の１つ又は複数の例示的な実施形態において機能を実行するものとして開示された構造と構造的に等価ではないが、説明される要素の特定の機能を実行する任意の要素に対応する（即ち、機能的に等価である）ものを意図したものである。また、例示されるいくつかの実施形態のうちのひとつ以上の実施形態に関してのみ本発明の特定の特徴をに記載したが、そのような特徴は、他の実施形態のひとつ以上の他の特徴と組み合わされることにより、任意の所定の適応例又は特定の適応例に対して所望されるように、かつ、それにとって有利となるようにしてもよい。
【００９５】
或る好ましい実施形態を図示し、説明したが、本明細書を読み、理解するとき、添付の請求項の範囲に属する均等物及び変更が当業者である別の当業者にも想起されることは理解されよう。
【図１Ａ】
2012510659.tif 000003
【図１Ｂ】
2012510659.tif 000004
【図２】
2012510659.tif 000005
【図３Ａ】
2012510659.tif 000006
【図３Ｂ】
2012510659.tif 000007
【図４Ａ】
2012510659.tif 000008
【図４Ｂ】
2012510659.tif 000009
【図５Ａ】
2012510659.tif 000010
【図５Ｂ】
2012510659.tif 000011
【図５Ｃ】
2012510659.tif 000012
【図６Ａ】
2012510659.tif 000013
【図６Ｂ】
2012510659.tif 000014
【図７】
2012510659.tif 000015
【図８】
2012510659.tif 000016
【図９】
2012510659.tif 000017
【図１０】
2012510659.tif 000018
【図１１】
2012510659.tif 000019
【図１２】
2012510659.tif 000020
【図１３】
2012510659.tif 000021
【図１４】
2012510659.tif 000022
【図１５】
2012510659.tif 000023
【図１６】
2012510659.tif 000024
【手続補正書】
【提出日】平成22年9月29日(2010.9.29)
【手続補正１】
【補正対象書類名】特許請求の範囲
【補正対象項目名】全文
【補正方法】変更
【補正の内容】
【特許請求の範囲】
【請求項１】
携帯電子機器であって、
複数の入力画像を受信するように構成された入力デバイスであって、異なる方向からの入力画像を受信するため相対的に位置決めされた２つのカメラを含む入力デバイスと、
入力画像を比較することによって、複数の所定のモーションのうちのひとつ以上のモーションを認識するように構成されたコンパレータであって、前記コンパレータは、第１の方向からの第１の複数の入力画像と、前記第１の方向とは異なる第２の方向からの第２の複数の入力画像とによってそれぞれ表された、認識したモーションを比較するよう構成されたコンパレータと、
前記コンパレータによって認識された前記それぞれのモーションに応じて、前記携帯電子機器の出力を制御するように構成されたコントローラであって、前記制御のタイプは前記認識済みのモーションに対応するコントローラと
を備えることを特徴とする携帯電子機器。
【請求項２】
表示可能なコンテンツのような出力を提供するように構成された出力デバイスをさらに備えることを特徴とする請求項１に記載の携帯電子機器。
【請求項３】
前記表示可能なコンテンツはピクチャ、リスト又はキーボードのうちの少なくとも１つであることを特徴とする請求項２に記載の機器。
【請求項４】
前記コンパレータは、複数の異なる所定のモーションを認識するように構成されると共に、前記コントローラは、前記コンパレータにより認識されたそれぞれのモーションに応じて表示可能なコンテンツの画像のサイズ又はロケーションのうちの少なくとも一方を変更するように構成されることを特徴とする請求項２又は３のいずれか１項に記載の機器。
【請求項５】
前記コントローラは、前記コンパレータにより認識されるそれぞれのモーションに応じて表示情報の画像をスクロールするように構成されることを特徴とする請求項２乃至４のいずれか１項に記載の機器。
【請求項６】
前記コントローラは、コンパレータにより認識されたそれぞれのモーションに応じて、表示情報の画像に関して選択機能を生じさせるように構成されることを特徴とする請求項２乃至５のいずれか１項に記載の機器。
【請求項７】
前記出力デバイスは、テレビ、プロジェクタ、ディスプレイ、モニタ、若しくは、前記携帯電子機器から遠隔地にあるコンピュータのうちの少なくとも１つによって示される前記表示可能なコンテンツを無線、有線又は別の結合によって送信するように構成されることを特徴とする請求項２乃至６のいずれか１項に記載の機器。
【請求項８】
前記コンパレータは、プロセッサと、複数の画像とを比較するように構成された関連付けられたロジック回路とを備えることを特徴とする請求項１乃至７のいずれか１項に記載の機器。
【請求項９】
前記カメラのうちの少なくとも一方はビデオカメラであることを特徴とする請求項１乃至８のいずれか１項に記載の機器。
【請求項１０】
前記機器は、携帯電話と、異なる方向から入力画像を提供するための、前記携帯電話に含まれ第１の方向を向いた第１のカメラと、前記携帯電話に含まれ第２の方向を向いた第２のカメラとを備えると共に、一方のカメラはテレビ電話用カメラであり、かつ、他方のカメラは前記携帯電話のメインのカメラであることを特徴とする請求項１乃至９のいずれか１項に記載の機器。
【請求項１１】
携帯電子機器を操作する方法であって、
複数の所定のモーションのうちのひとつ以上のモーションを認識するために入力画像を比較するステップであって、該ステップは、第１の方向からの第１の複数の入力画像と、前記第１の方向とは異なる第２の方向からの第２の複数の入力画像とによってそれぞれ表された、認識したモーションを比較するステップを含むステップと、
前記それぞれの認識済みのモーションに応じて前記携帯電子機器の出力を制御するステップであって、前記制御のタイプは前記認識済みのモーションに対応するようになっている制御ステップと
を有することを特徴とする方法。
【請求項１２】
出力を制御する前記ステップは、表示が意図されているコンテンツを制御するステップを有することを特徴とする請求項１１に記載の方法。
【請求項１３】
前記制御ステップは、前記携帯電子機器とは別の機器上で示されるべき、前記携帯電子機器により提供されるコンテンツを制御するステップを有することを特徴とする請求項１１または１２に記載の方法。
【請求項１４】
前記制御ステップは、前記携帯電子機器とは別の機器の動作を制御するステップを含むことを特徴とする請求項１１または１２に記載の方法。
【請求項１５】
前記携帯電子機器は、携帯電話であり、かつ、前記比較ステップの実行時に使用するための入力画像を２つの異なる方向から取得するために前記携帯電話の２台のカメラを使用するステップをさらに含むことを特徴とする請求項１１乃至１４のいずれか１項に記載の方法。
【請求項１６】
前記携帯電子機器がディスプレイを備えると共に、該ディスプレイの視野を実質的に妨害することのない光入力であって、前記携帯電子機器へ光入力を提供するステップを有することを特徴とする請求項１１または１２に記載の方法。
【請求項１７】
電子機器を制御するために格納媒体に組み込まれたコンピュータプログラムであって、
所定の特徴を有するモーションが前記比較の結果によって表されているかどうかを認識するために、異なるカメラそれぞれにより受信したとして、異なる方向から受信した入力画像を比較するように構成された比較用ロジックと、
所定の特徴を有するモーションの前記比較用ロジックによる認識ステップに応答すると共に、前記認識済みのモーションに一致する、前記電子機器の出力の制御タイプを提供するように構成された制御ロジックと、
を含むことを特徴とするコンピュータプログラム。
【請求項１８】
前記比較用ロジックは、それぞれの所定の特徴的モーションを有する２つの認識済みのモーションを比較するように構成されたロジックをさらに備えることを特徴とする請求項２１に記載のコンピュータプログラム。
【請求項１９】
携帯電話を用いてコンテンツを表示する方法であって、移動の程度とタイプの少なくともいずれかを検知する機能を有する携帯電話の第１のカメラに対して左腕、左手、又は左手の指のうちの少なくとも１つを相対的に動かし、同時に、移動の程度とタイプの少なくともいずれかを検知する機能を有する携帯電話の第２のカメラに対して右腕、右手、又は右手の指のうちの少なくとも１つを相対的に動かすステップを有し、それによって、前記携帯電話へ入力を提供して、前記携帯電話によって提供される前記コンテンツの表示の制御を行うようにすることを特徴とする方法。
【請求項２０】
前記コンテンツの表示を制御するステップは、前記携帯電話により提供される前記コンテンツの表示を制御するステップを含むことを特徴とする請求項１９に記載の方法。
【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
携帯電子機器であって、
複数の入力画像を受信するように構成された入力デバイスであって、異なる方向からの入力画像を受信するため相対的に位置決めされた２つのカメラを含む入力デバイスと、
入力画像を比較することによって、複数の所定のモーションのうちのひとつ以上のモーションを認識するように構成されたコンパレータであって、前記コンパレータは、第１の方向からの第１の複数の入力画像と、前記第１の方向とは異なる第２の方向からの第２の複数の入力画像とによってそれぞれ表された、認識したモーションを比較するよう構成されたコンパレータと、
前記コンパレータによって認識された前記それぞれのモーションに応じて、前記携帯電子機器の出力を制御するように構成されたコントローラであって、前記制御のタイプは前記認識済みのモーションに対応するコントローラと
を備えることを特徴とする携帯電子機器。
【請求項２】
表示可能なコンテンツのような出力を提供するように構成された出力デバイスをさらに備えることを特徴とする請求項１に記載の携帯電子機器。
【請求項３】
前記コンパレータは、複数の異なる所定のモーションを認識するように構成されると共に、前記コントローラは、前記コンパレータにより認識されたそれぞれのモーションに応じて表示可能なコンテンツの画像のサイズ又はロケーションのうちの少なくとも一方を変更するように構成されることを特徴とする請求項２に記載の携帯電子機器。
【請求項４】
前記コントローラは、前記コンパレータにより認識されるそれぞれのモーションに応じて表示情報の画像をスクロールし、または、コンパレータにより認識されたそれぞれのモーションに応じて、表示情報の画像に関して選択機能を生じさせ、またはその両方を行うように構成されることを特徴とする請求項２乃至３のいずれか１項に記載の携帯電子機器。
【請求項５】
前記出力デバイスは、テレビ、プロジェクタ、ディスプレイ、モニタ、若しくは、前記携帯電子機器から遠隔地にあるコンピュータのうちの少なくとも１つによって示される前記表示可能なコンテンツを無線、有線又は別の結合によって送信するように構成されることを特徴とする請求項２乃至４のいずれか１項に記載の携帯電子機器。
【請求項６】
前記コンパレータは、プロセッサと、複数の画像とを比較するように構成された関連付けられたロジック回路とを備えることを特徴とする請求項１乃至５のいずれか１項に記載の携帯電子機器。
【請求項７】
前記機器は、携帯電話と、異なる方向から入力画像を提供するための、前記携帯電話に含まれ第１の方向を向いた第１のカメラと、前記携帯電話に含まれ第２の方向を向いた第２のカメラとを備えると共に、一方のカメラはテレビ電話用カメラであり、かつ、他方のカメラは前記携帯電話のメインのカメラであることを特徴とする請求項１乃至６のいずれか１項に記載の携帯電子機器。
【請求項８】
携帯電子機器を操作する方法であって、
複数の所定のモーションのうちのひとつ以上のモーションを認識するために入力画像を比較するステップであって、該ステップは、第１の方向からの第１の複数の入力画像と、前記第１の方向とは異なる第２の方向からの第２の複数の入力画像とによってそれぞれ表された、認識したモーションを比較するステップを含むステップと、
前記それぞれの認識済みのモーションに応じて前記携帯電子機器の出力を制御するステップであって、前記制御のタイプは前記認識済みのモーションに対応するようになっている制御ステップと
を有することを特徴とする方法。
【請求項９】
出力を制御する前記ステップは、表示が意図されているコンテンツを制御するステップを有し、前記制御するステップは、前記携帯電子機器とは別の機器上で示されるべき、前記携帯電子機器により提供されるコンテンツを制御するステップを有することを特徴とする請求項８に記載の方法。
【請求項１０】
前記制御ステップは、前記携帯電子機器とは別の機器の動作を制御するステップを含むことを特徴とする請求項８または９に記載の方法。
【請求項１１】
前記携帯電子機器は、携帯電話であり、かつ、前記比較ステップの実行時に使用するための入力画像を２つの異なる方向から取得するために前記携帯電話の２台のカメラを使用するステップをさらに含むことを特徴とする請求項８乃至１０のいずれか１項に記載の方法。
【請求項１２】
前記携帯電子機器がディスプレイを備えると共に、該ディスプレイの視野を実質的に妨害することのない光入力であって、前記携帯電子機器へ光入力を提供するステップを有することを特徴とする請求項８または９に記載の方法。
【請求項１３】
電子機器を制御するために格納媒体に組み込まれたコンピュータプログラムであって、
所定の特徴を有するモーションが前記比較の結果によって表されているかどうかを認識するために、異なるカメラそれぞれにより受信したとして、異なる方向から受信した入力画像を比較するように構成された比較用ロジックと、
所定の特徴を有するモーションの前記比較用ロジックによる認識ステップに応答すると共に、前記認識済みのモーションに一致する、前記電子機器の出力の制御タイプを提供するように構成された制御ロジックと、
を含むことを特徴とするコンピュータプログラム。
【請求項１４】
携帯電話を用いてコンテンツを表示する方法であって、移動の程度とタイプの少なくともいずれかを検知する機能を有する携帯電話の第１のカメラに対して左腕、左手、又は左手の指のうちの少なくとも１つを相対的に動かし、同時に、移動の程度とタイプの少なくともいずれかを検知する機能を有する携帯電話の第２のカメラに対して右腕、右手、又は右手の指のうちの少なくとも１つを相対的に動かすステップを有し、それによって、前記携帯電話へ入力を提供して、前記携帯電話によって提供される前記コンテンツの表示の制御を行うようにすることを特徴とする方法。
【請求項１５】
前記コンテンツの表示を制御するステップは、前記携帯電話により提供される前記コンテンツの表示を制御するステップを含むことを特徴とする請求項１４に記載の方法。
【国際調査報告】
2012510659.tif 000025
2012510659.tif 000026
2012510659.tif 000027